(57)【要約】【課題】版胴に装着した刷版を差し替え交換するに際し刷版を搬送する補助装置として、簡便な構造にして従来の印刷機周辺に容易に設けることができ、刷版を載せた状態でシート移送方向に沿って移動でき、安全性と作業性を向上できる刷版キャリア装置を提供する。【解決手段】刷版キャリア装置を、複数並び配置された印刷装置の側部において同複数の印刷装置の並びに沿って横方向に設けられた案内軌道部と、同案内軌道部に移動自在に支持され、同案内軌道部の前記複数の印刷装置側に複数に区分された刷版受台を備えたストッカーとを有してなるように構成したので、複数枚の新旧の刷版を共に同じストッカー内に分別して収納でき、各印刷装置に対して版交換が容易となり、刷版をストッカー内に収納しておくため、安全性が向上し、刷版への傷入りが防止できる。【選択図】            図１
2005007688.tif 000002
【特許請求の範囲】
【請求項１】
複数並び配置された印刷装置の側部において同複数の印刷装置の並びに沿って横方向に設けられた案内軌道部と、同案内軌道部に移動自在に支持され、同案内軌道部の前記複数の印刷装置側に複数に区分された刷版受台を備えたストッカーとを有してなることを特徴とする刷版キャリア装置。
【請求項２】
請求項１に記載の刷版キャリア装置において、前記案内軌道部は、上下一定間隔に設けられた上側レールと下側レールを有してなることを特徴とする刷版キャリア装置。
【請求項３】
請求項１または請求項２に記載の刷版キャリア装置において、前記案内軌道部は、前記複数の印刷装置の並びの側部に設けられた作業用足場の同複数の印刷装置と反対側に設けられてなることを特徴とする刷版キャリア装置。
【請求項４】
請求項３に記載の刷版キャリア装置において、前記案内軌道部は、前記作業用足場の手摺の支柱に取り付けられてなることを特徴とする刷版キャリア装置。
【請求項５】
請求項１ないし請求項４のいずれかに記載の刷版キャリア装置において、前記ストッカーは、前記案内軌道部に移動自在に支持されたプレートと同プレートに間隔をあけて取り付けられ同プレートとの間に刷版受台を形成する分離プレートを備えてなることを特徴とする刷版キャリア装置。
【請求項６】
請求項５に記載の刷版キャリア装置において、前記分離プレートが、刷版の端部の折れ曲がり部を引っ掛け刷版を懸架することのできる横方向の櫛状の複数の溝を備え刷版受台を形成してなることを特徴とする刷版キャリア装置。
【発明の詳細な説明】
【０００１】
【発明の属する技術分野】
本発明は、枚葉印刷機等において版胴に装着した刷版を着脱（差し替え交換）するに際して刷版を搬送する補助装置としての刷版キャリア装置に関するものである。
【０００２】
【従来の技術】
図７から図９に基づき、従来の刷版キャリア装置を説明する。図７は、一般的な枚葉印刷機の全体立面概略構成図、図８は、図７中Ｊ−Ｊ矢視による作業用足場の説明図であり、図９（ａ）、（ｂ）は、枚葉印刷機の印刷装置における刷版交換方法の説明図である。
【０００３】
一般的な枚葉印刷機は、図７に示すように、給紙装置３１、フィーダボード３２、並設されたインキ色の異なる複数台の印刷装置５（５ａ〜５ｎ）、排紙装置３３等々から構成されている。排紙装置３３は、シート搬送装置３４とシート積重装置３５から構成されている。
【０００４】
また、これら枚葉印刷機には、シート移送方向（図７および図１、２中矢印Ｓ方向）に順次並べられた複数台の印刷装置５ａ〜５ｎに対応する側部において、図８に示すように作業用足場６が設けられ、作業用足場６の印刷装置５ａ〜５ｎに面する側の反対側には、作業者の落下等種々の危険を防止するための手摺７が設けられており、手摺７の上部には作業の効率化を図るために、工具や清掃用具等を載せる物置台８が設けられている。図８中、９は作業用足場６に至る階段で、１０は階段に沿って配設した手摺である。
【０００５】
各印刷装置５ａ〜５ｎには、図９に示すように印刷する絵柄を焼き付けた刷版２を装着する版胴１が設けられており、この版胴１に図示しないインキ装置からインキを転移供給し、インキ着けローラを介して刷版２の絵柄部分にインキを付着させる。
【０００６】
次に、付着させたインキ絵柄を、ブランケット胴３７、さらに圧胴３６との中間を走行するシート３に転写して印刷が行われる。なお、図７において３８は、各印刷装置５ａ〜５ｎの各圧胴３６ａ〜３６ｎの間に設けられる中間胴である。
【０００７】
所定部数の印刷が終了すると版胴１に装着していた刷版２は取り外され、次の印刷に使用する新しい刷版２が版胴１に装着される。以下、同操作を順次繰り返すことにより、種々の印刷ができる様になっている。
【０００８】
この刷版２の取り外し作業や装着作業に対処すべく、近年では機械により自動的に着脱するようにした刷版交換装置が開発され、印刷機に装備されるようになった。これら刷版交換装置については、今日種々多様な形式のものが提案されているが、本発明の内容に対し直接関係するものではなく構成、機能の説明を省略する。
【０００９】
一般的に、版胴１から印刷を終えて使用済みとなった刷版２を取り外す場合に際しては次のように行う。図９（ａ）に示すように、先ず使用済みの刷版２を取り外す所定の位相位置において版胴１を停止させ、くわえ尻側版締め装置４０ａを緩める。これによって、刷版２のくわえ尻側後端２ａがフリーとなり、版胴１に巻き付けられている湾曲状態から直線に復帰しようとする弾力により自動的に外に飛び出してくる。次に、この状態で版胴１を略１回転させると、刷版２は、くわえ尻側後端２ｂから順次外部へ送り出されることになる。
【００１０】
続いて、図９（ｂ）に示すように、刷版２を取り外す位相位置において、版胴１を停止し、刷版２のくわえ側先端２ｂを版胴１のくわえ側版締め装置４０ｂの版締め部から抜き取ると、一連の使用済みの刷版２の取り外し作業が終了する。
【００１１】
次に、版胴１へ新しい刷版２を装着するに際しては次のように操作が行なわれる。先ず、版胴１を回転させ、版胴１のギャップ部１ａが図９（ｂ）に示す位置になるよう停止させる。次に、新しい刷版２のくわえ側先端２ｂを版胴１のくわえ側版締め装置４０ｂへ挿入した後、くわえ側版締め装置４０ｂを固定し、版押えローラ４１を版押えローラ移動機構４２により押し出して、刷版２を押えながら版胴１を回転し、版胴１の外周面へ刷版２を巻着させて行く。
【００１２】
続いて、図９（ａ）に示すように、版胴１を略１回転させた所定の位相位置において版胴１を停止し、刷版２のくわえ尻側後端２ａを挿入した後、くわえ尻側版締め装置４０ａを作動し版締めを行う。これによって、一連の新しい刷版２の装着作業が終了する。
【００１３】
上述の刷版着脱に関しては、刷版交換装置によって自動的に可能だが、刷版交換装置を設置せず、オペレータの人手作業で行うことも少なくない。いずれの場合も、従来の枚葉印刷機では取り外した使用済みの刷版２を一時的に置いておく場所が設けられておらず、やむなく印刷機の作業用足場６上に仮置きするといった方法が一般的であった。また、印刷装置５の版胴１には新しい刷版２を１枚ずつ装着していくが、装着待ちの新しい刷版２を置いておく場所がなく、作業用足場６の物置台８に引っ掛けて一時的に仮置きしていた。
【００１４】
しかしながら、上記のような従来の印刷機における刷版交換作業は、取り外した刷版２を作業用足場６上に仮置きすることなどにより、作業者の通行が阻害され、また刷版２を踏み付けたりしてけがをするおそれがあり安全上問題があった。
また、物置台８に引っ掛けて仮置きした新しい刷版２により作業者の通行や版交換作業が阻害される他、新しい刷版２に接触して傷付けたり、あるいは、刷版２は非常に薄く軽い金属板で形成されているため、人の通行で発生する風や接触に起因する落下により刷版を変形させる等の事故を起こす恐れもあった。
【００１５】
上記の問題に対処し、刷版の差し替え交換を迅速に行なうには、使用済みの刷版２を外し搬出する作業者とは別に、新しい刷版２を搬入し装着する作業者が必要で、生産効率（作業性）を著しく低下させることになる等の問題があった。
【００１６】
一方、新旧の刷版２の搬入搬出を行なう装置も提案されており、例えば、特許番号第２７２４６６８号特許公報（特許文献１）および特許番号第２７６２０２９号特許公報（特許文献２）には、複数の印刷装置を上下の各階層に積み重ねて配置した印刷機において、新旧の刷版を目的の階層まで昇降移動させる装置が示され、また特許番号第３０４５５８４号特許公報（特許文献３）には、水平に配置された複数の印刷装置のそれぞれに、各印刷装置にアクセスし使用済みの刷版を取り出し収納場所に収め、新しい刷版を収納場所から取り出し印刷装置まで移送する装置が示されている。
【００１７】
しかしながら、いずれも、上下昇降移送機構等の大規模、複雑な装置であったり、刷版のキャリアというより刷版の印刷装置自体の内側への出し入れのための昇降進退機構を複数、各印刷装置ごとに設ける必要のあるものであったりして、装置コスト、スペース等が大き過ぎ、上記の従来例のように並設された複数の印刷装置の側部に設けられた作業用足場６のような場所での刷版のキャリヤとして用いるには適当とはいえなかった。
【００１８】
【特許文献１】
特許番号第２７２４６６８号特許公報（第１頁、図１）
【特許文献２】
特許番号第２７６２０２９号特許公報（第１頁、図１、図２）
【特許文献３】
特許番号第３０４５５８４号特許公報（第１頁、図１、図２）
【００１９】
【発明が解決しようとする課題】
本発明は、上記従来の枚葉印刷機等における刷版着脱時の問題を解消し、版胴に装着した刷版を差し替え交換するに際し刷版を搬送する補助装置として、簡便な構造にして従来の印刷機周辺に容易に設けることができ、刷版を載せた状態でシート移送方向に沿って移動でき、安全性と作業性を向上できる刷版キャリア装置を提供することを課題とするものである。
【００２０】
【課題を解決するための手段】
（１）本発明は、上記の課題を解決するためになされたものであり、その第１の手段として、複数並び配置された印刷装置の側部において同複数の印刷装置の並びに沿って横方向に設けられた案内軌道部と、同案内軌道部に移動自在に支持され、同案内軌道部の前記複数の印刷装置側に複数に区分された刷版受台を備えたストッカーとを有してなることを特徴とする刷版キャリア装置を提供する。
【００２１】
上記の構成により、第１の手段によれば、複数の印刷装置の並びに沿って設けられた案内軌道部にストッカーが移動自在に支持され、ストッカーは複数に区分された刷版受台を備えているので、複数枚の新旧の刷版を、共に同じストッカー内に分別して収納できるため、各印刷装置に対して、取り外した使用済みの刷版の仮置きと搬出、新しい刷版の待機、取り出し、版胴への装着、すなわち印刷装置の版交換が容易となる。また、刷版を、ストッカー内に収納しておくため、刷版への傷入りが防止できる。
【００２２】
（２）第２の手段としては、第１の手段の刷版キャリア装置において、前記案内軌道部は、上下一定間隔に設けられた上側レールと下側レールを有してなることを特徴とする刷版キャリア装置を提供する。
【００２３】
第２の手段によれば、第１の手段の作用に加え、ストッカーは案内軌道部に対して印刷装置側に位置するが、案内軌道部が上側側レールと下側レールより構成されるので、ストッカーの重力による水平方向分力を両レールで支える構造となり、ストッカーが安定して案内軌道部上を移動することができる。
【００２４】
（３）また、第３の手段として、第１の手段または第２の手段の刷版キャリア装置において、前記案内軌道部は、前記複数の印刷装置の並びの側部に設けられた作業用足場の同複数の印刷装置と反対側に設けられてなることを特徴とする刷版キャリア装置を提供する。
【００２５】
第３の手段によれば、第１の手段または第２の手段の作用に加え、ストッカーの移動する案内軌道部が作業用足場の印刷装置と反対側に設けられているので、印刷装置に近くに作業用足場を挟んで新旧の刷版を置けて刷版の交換作業が容易であり且つ作業の支障とならないとともに、作業用足場上を有効に使用でき、オペレータの通行が容易となる。さらに、作業用足場において、版交換を行う各印刷装置へストッカーを容易に移動させることが可能で、刷版の差し替え交換作業が一人で行えるようになる。
【００２６】
（４）第４の手段として、第３の手段の刷版キャリア装置において、前記案内軌道部は、前記作業用足場の手摺の支柱に取り付けられてなることを特徴とする刷版キャリア装置を提供する。
【００２７】
第４の手段によれば、第３の手段の作用に加え、案内軌道部を、作業用足場の手摺の支柱に取り付けているので、新たな構造物の必要がない。
【００２８】
（５）第５の手段として、第１の手段ないし第４の手段のいずれかの刷版キャリア装置において、前記ストッカーは、前記案内軌道部に移動自在に支持されたプレートと同プレートに間隔をあけて取り付けられ同プレートとの間に刷版受台を形成する分離プレートを備えてなることを特徴とする刷版キャリア装置を提供する。
【００２９】
第５の手段によれば、第１の手段ないし第４の手段のいずれかの作用に加え、ストッカーは案内軌道部に移動自在に支持されたプレートと分離プレートとにより複数の刷版受台を形成する簡便、軽量な構造となる。
【００３０】
（６）第６の手段として、第５の手段の刷版キャリア装置において、前記分離プレートが、刷版の端部の折れ曲がり部を引っ掛け刷版を懸架することのできる横方向の櫛状の複数の溝を備え刷版受台を形成してなることを特徴とする刷版キャリア装置を提供する。
【００３１】
第６の手段によれば、第５手段の作用に加え、構造がより簡便、軽量化し、刷版を溝に引っ掛けて懸架して置けるので刷版の扱いが容易である。
【００３２】
【発明の実施の形態】
図１から図６に基づき、本発明の実施の一形態に係る刷版キャリア装置について説明する。図１は、本実施の形態の刷版キャリア装置を設けた枚葉印刷機の要部立面概略構成図であり、図２は、図１中Ａ−Ａ矢視による要部平面概略構成図、図３は、図２中Ｂ−Ｂ矢視による本実施の形態の刷版キャリア装置の縦断面図、図４は、図３中Ｃ−Ｃ矢視による刷版キャリア装置の背面図、図５（ａ）は、図４中Ｄ−Ｄ矢視拡大断面図、図５（ｂ）は、図４中Ｅ−Ｅ矢視拡大断面図、図６は、本実施の形態の刷版キャリア装置の新刷版受台の説明図であり、（ａ）は図３中Ｆ−Ｆ矢視による新刷版受台の正面図、（ｂ）は（ａ）中Ｇ−Ｇによる新しい刷版を納めた状態の新刷版受台の縦断面図、（ｃ）は（ｂ）中Ｈ部の拡大図である。本実施の形態の説明において、前述の従来例の図７から図９に示す部分と共通する部分については図示を省略し、あるいは図中に同じ符号を付して説明を省略し、異なる点を主に以下説明する。
【００３３】
本実施の形態の刷版キャリア装置は、図１、図２に示すように複数並び配置された印刷装置５ａ〜５ｎの側部に設けられた作業用足場６の、印刷装置５ａ〜５ｎ側と反対の側に設けられた手摺７の支柱１３に取り付けられ、水平方向（横方向）に沿い上下一定間隔で平行に設けられた２本の上側レール１１および下側レール１２と、両レール１１、１２に案内され刷版２を載せて移動できるストッカー４で構成したものである。両レール１１、１２はストッカー４を移動自在に支持する案内軌道部となる。
【００３４】
具体的に説明すると、手摺７を支持する複数本の支柱１３には、図１、図３に示すように、各々ブラケット１４が取り付けられており、各ブラケット１４の上端部、および下端部にはスペーサ１５を介して水平方向にそれぞれストッカー４の案内軌道部となる上側レール１１、下側レール１２が架け渡してある。
【００３５】
一方、図４に示すように、ストッカー４の主構造体となるプレート２５の背面には、ブラケット１６および上部サポート２０、下部サポート２１が両レール１１、１２の方向に間隔を置いて各一対組付け固定されている。
【００３６】
図５（ａ）に示すように、上側レール１１の上下両端面には、ブラケット１６に取り付けた軸（ピンボルト）１７にベアリング１８を介して軸着させた溝付ローラ１９を係合させてあり、上側レール１１を挟むことによりストッカー４を脱落せずに上側レール１１に沿って移動可能に支持する構造となっている。
【００３７】
また、図５（ｂ）に示すように、上部サポート２０先端の軸１７へ軸着させたベアリング２２は、上側レール１１のストッカー４の反対側に係合させてあり、下部サポート２１先端の軸１７へ軸着させたベアリング２２は、下側レール１２のストッカー４側に係合させてある。
【００３８】
したがって、ストッカー４は両レール１１、１２に対して印刷装置５側にオーバーハングして位置するが、案内軌道部として２本のレール１１、１２を備え、ストッカー４の上部サポート２０および下部サポート２１の先端のベアリング２２が、ストッカー４の重力による水平方向分力を各レール１１、１２で支える構造となるので、ストッカー４が安定して両レール１１、１２上を移動するよう機能する。
【００３９】
また、溝付ローラ１９の支持部（ブラケット１６等）およびベアリング２２の支持部（両サポート２０、２１等）は、両レール１１、１２の長さ方向（ストッカー４の横幅方向）にそれぞれ２個が組になって配設されており、ストッカー４の両幅端を安定的に支持させている。
【００４０】
ストッカー４は、図３に示されるように、使用済みの刷版（旧版）２を収納する刷版受台である旧刷版受台２３と、新しい刷版（新版）２を収納する刷版受台である新刷版受台２４を備えるように構成されている。プレート２５には、新旧の刷版２を分離する分離プレート２６とを、底部および側部に設けたスペーサ２７を介して連結し、箱状に形成して旧刷版受台２３としており、同時に複数枚の使用済みの刷版２を収納できるようになっている。
【００４１】
したがって、ストッカー４は両レール１１、１２に移動自在に支持されたプレート２５と分離プレート２６とにより複数の刷版受台２３、２４を形成する簡便、軽量な構造となる。
【００４２】
また、分離プレート２６には、一定の間隔を形成する支持用ブラケット２８が分離プレート２６の下端部中央において取り付けられ、さらに図６に示すように、分離プレート２６の上端部の中央部に凹状に切欠き部２６ａを形成し、その両側に、水平方向（両レール１１、１２の方向）に切欠き部２６ａに向けた櫛状の複数条の溝５０が加工形成されている。この溝５０は、新しい刷版２のくわえ側先端２ｂの折り曲げ部を引っ掛け、刷版２を懸吊すべく機能させるもので、同時に複数枚の新しい刷版２が収納できるようになっており、新刷版受台２４を形成している。
【００４３】
５１は、各溝５０をなす櫛状部の端部にスペーサ５２を介して取り付けられ溝５０を維持し、櫛状部の位置関係を保持する補強部材である。分離プレート２６の上部両側端には、ストッカー４移動用の取手５３が固定されている。
【００４４】
以下、上記のように構成された本実施の形態の刷版キャリア装置の操作を説明する。枚葉印刷機としての刷版交換自体に係る一連の操作は、従来の方法と同様である。
【００４５】
図２に示すように、先ず所定の待機位置Ｘ（図２中破線図示）にあるストッカー４に、差し替え交換する新しい刷版２を載せる。新しい刷版２は図３等に示す新刷版受台２４に複数枚を同時に収納させておくことができる。
【００４６】
次に、ストッカー４を移動し、版交換を行う位置Ｙ、例えば印刷装置５ａ部近傍（図２中ニ点鎖線図示）に配置（停止）させ、印刷装置５ａから取り外した使用済みの刷版２を、ストッカー４のスペーサ２７をかわして旧刷版受台２３に収納する。
【００４７】
続いて、ストッカー４を、新しい刷版２の取り出し易い位置Ｚ（図２中実線図示）まで移動させ、新しい刷版２を取り出して、印刷装置５ａの版胴１に装着する。以下、同様操作を繰り返し他の印刷装置５の刷版を交換し、総ての版交換を終えた後は、ストッカー４を待機位置Ｘに移動して固定する。最後に、回収した使用済みの刷版２をストッカー４から取り出し、所定の場所へ運搬、収納する。
【００４８】
したがって、本実施の形態の刷版キャリア装置によれば、複数の印刷装置５ａ〜５の並びに沿って水平方向（横方向）に設けられた両レール１１、１２にストッカー４が移動自在に支持され、ストッカー４は複数に区分された刷版受台を備えているので、複数枚の新旧の刷版２を、共に同じストッカー４内に分別して収納できるため、各印刷装置に対して、取り外した使用済みの刷版２の仮置きと搬出、新しい刷版２の待機、取り出し、版胴１への装着、すなわち印刷装置５の版交換が容易となる。また、刷版２を、ストッカー４内に収納しておくため、刷版２への傷入りが防止できる。
【００４９】
また、ストッカー４の移動する両レール１１，１２が作業用足場６の印刷装置５と反対側に設けられているので、印刷装置５に近くに作業用足場６を挟んで新旧の刷版２を置けて刷版２の交換作業が容易であり且つ作業の支障とならないとともに、作業用足場６上を有効に使用でき、オペレータの通行が容易となり、安全性が向上する。
【００５０】
さらに、作業用足場６において、版交換を行う各印刷装置５へストッカー４を容易に移動させることが可能で、刷版の差し替え交換作業が一人で行えるようになり、作業性が向上すると共に版交換時間が大幅に短縮できる等々，種々の効果を得ることができるようになる。
【００５１】
さらに構造的にも、両レール１１、１２を、作業用足場６の手摺の支柱１３に取り付けているので、新たな構造物の必要がなく、簡便に刷版キャリア装置を設備することができるものとなる。
【００５２】
以上、本発明を図示の実施の形態について説明したが、本発明は上記の実施の形態に限定されず、本発明の範囲内でその具体的構造に種々の変更を加えてよいことはいうまでもない。
【００５３】
例えば、刷版キャリア装置におけるストッカー４部の構成は、上記実施の形態にのみ限定されるものではなく、本発明の範囲内において種々形態に変更を加え得るものである。
【００５４】
すなわち、ストッカー４は、少なくとも新旧の刷版を分別して収納できるように複数の刷版受台を備えるもので、図示の２つに限らず、分離プレート２６の枚数を増して３つ以上の刷版受台を備えてもよい。図示の両刷版受台２３、２４に新旧の刷版を逆に収納してもよい。
【００５５】
また、分離プレート２６は必ずしも溝５０を備えず、単に箱状の刷版受台を形成するものであって、刷版受台を複数形成する数が備えられてもよいが、図示のような溝５０を備えれば、構造が簡便、軽量化し、溝５０に引っ掛けられて懸架された刷版２の扱いが容易である。
【００５６】
そして、上記実施の形態は、ストッカー４は取手５３によって手動で移動されるものを示したが、適宜のラックピニオン、チェンスプロケット等の移動補助機構を加え、また、クランプ等の位置固定機構を加えてもよい。
【００５７】
【発明の効果】
（１）請求項１の発明によれば、刷版キャリア装置を、複数並び配置された印刷装置の側部において同複数の印刷装置の並びに沿って横方向に設けられた案内軌道部と、同案内軌道部に移動自在に支持され、同案内軌道部の前記複数の印刷装置側に複数に区分された刷版受台を備えたストッカーとを有してなるように構成したので、複数の印刷装置の並びに沿って設けられた案内軌道部にストッカーが移動自在に支持され、ストッカーは複数に区分された刷版受台を備えているため、複数枚の新旧の刷版を、共に同じストッカー内に分別して収納でき、各印刷装置に対して、取り外した使用済みの刷版の仮置きと搬出、新しい刷版の待機、取り出し、版胴への装着、すなわち印刷装置の版交換が容易となる。また、刷版を、ストッカー内に収納しておくため、刷版への傷入りが防止できる。
【００５８】
（２）請求項２の発明によれば、請求項１に記載の刷版キャリア装置において、前記案内軌道部は、上下一定間隔に設けられた上側レールと下側レールを有してなるように構成したので、請求項１の発明の効果に加え、ストッカーは案内軌道部に対して印刷装置側に位置するが、案内軌道部が上側側レールと下側レールより構成されるため、ストッカーの重力による水平方向分力を両レールで支える構造となり、ストッカーが安定して案内軌道部上を移動することができる。
【００５９】
（３）請求項３の発明によれば、請求項１または請求項２に記載の刷版キャリア装置において、前記案内軌道部は、前記複数の印刷装置の並びの側部に設けられた作業用足場の同複数の印刷装置と反対側に設けられてなるように構成したので、請求項１または請求項２の発明の効果に加え、ストッカーの移動する案内軌道部が作業用足場の印刷装置と反対側に設けられているため、印刷装置に近くに作業用足場を挟んで新旧の刷版を置けて刷版の交換作業が容易であり且つ作業の支障とならないとともに、作業用足場上を有効に使用でき、オペレータの通行が容易となり、安全性が向上する。さらに、作業用足場において、版交換を行う各印刷装置へストッカーを容易に移動させることが可能で、刷版の差し替え交換作業が一人で行えるようになり、作業性が向上すると共に版交換時間が大幅に短縮できる等の効果を得ることができる。
【００６０】
（４）請求項４の発明によれば、請求項３に記載の刷版キャリア装置において、前記案内軌道部は、前記作業用足場の手摺の支柱に取り付けられてなるように構成したので、請求項３の発明の効果に加え、案内軌道部を、作業用足場の手摺の支柱に取り付けているため、新たな構造物の必要がなく、簡便に刷版キャリア装置を設備することができるものとなる。
【００６１】
（５）請求項５の発明によれば、請求項１ないし請求項４のいずれかに記載の刷版キャリア装置において、前記ストッカーは、前記案内軌道部に移動自在に支持されたプレートと同プレートに間隔をあけて取り付けられ同プレートとの間に刷版受台を形成する分離プレートを備えてなるように構成したので、請求項１ないし請求項４のいずれかの発明の効果に加え、ストッカーは案内軌道部に移動自在に支持されたプレートと分離プレートとにより複数の刷版受台を形成する簡便、軽量な構造となり、刷版キャリア装置を設備することと取り扱いが容易となり、コストも低減する。
【００６２】
（６）請求項６の発明によれば、請求項５に記載の刷版キャリア装置において、前記分離プレートが、刷版の端部の折れ曲がり部を引っ掛け刷版を懸架することのできる横方向の櫛状の複数の溝を備え刷版受台を形成してなるように構成したので、請求項５の発明の効果に加え、構造がより簡便、軽量化し、刷版を溝に引っ掛けて懸架して置けるので刷版の扱いが容易である。
【図面の簡単な説明】
【図１】本発明の実施の一形態に係る刷版キャリア装置を設けた枚葉印刷機の要部立面概略構成図である。
【図２】図１中Ａ−Ａ矢視による要部平面概略構成図である。
【図３】図２中Ｂ−Ｂ矢視による本実施の形態の刷版キャリア装置の縦断面図である。
【図４】図３中Ｃ−Ｃ矢視による刷版キャリア装置の背面図である。
【図５】（ａ）は、図４中Ｄ−Ｄ矢視拡大断面図、（ｂ）は、図４中Ｅ−Ｅ矢視拡大断面図である。
【図６】本実施の形態の刷版キャリア装置の新刷版受台の説明図であり、（ａ）は図３中Ｆ−Ｆ矢視による新刷版受台の正面図、（ｂ）は（ａ）中Ｇ−Ｇ矢視による新しい刷版を納めた状態の新刷版受台の縦断面図、（ｃ）は（ｂ）中Ｈ部の拡大図である。
【図７】従来の一般的な枚葉印刷機の全体立面概略構成図である。
【図８】図７中Ｊ−Ｊ矢視による作業用足場の説明図である。
【図９】（ａ）、（ｂ）は、枚葉印刷機の印刷装置における刷版交換方法の説明図である。
【符号の説明】
１                    版胴
２                    刷版
３                    シート
５（５ａ〜５ｎ）      印刷装置
６                    作業用足場
７                    手摺
８                    物置台
１１                  上側レール
１２                  下側レール
１３                  支柱
１４                  ブラケット
１６                  ブラケット
１７                  軸
１８                  ベアリング
１９                  溝付ローラ
２０                  上側サポート
２１                  下側サポート
２２                  ベアリング
２３                  旧刷版受台
２４                  新刷版受台
２５                  プレート
２６                  分離プレート
２６ａ                切欠き部
２７                  スペーサ
２８                  支持用ブラケット
５０                  溝
５１                  補強部材
５２                  スペーサ
５３                  取手
【図１】
2005007688.tif 000003
【図２】
2005007688.tif 000004
【図３】
2005007688.tif 000005
【図４】
2005007688.tif 000006
【図５】
2005007688.tif 000007
【図６】
2005007688.tif 000008
【図７】
2005007688.tif 000009
【図８】
2005007688.tif 000010
【図９】
2005007688.tif 000011